(57)【要約】【課題】天井に突っ張らせたり、壁面などにネジ止めなどすることなく、家具類の転倒を防止できるようにした防止具を提供する。【解決手段】家具類の背面と壁面の間及びその上方に配置するための重り板１と、前記重り板の上方寄りの中間部の前面にほぼ直角に設けられ、家具類の上面に配置するための押さえ板１０とを設けている。このため、家具類の上部が壁面Ｂから離れる方向の揺れは重り板１の重力で抑制され、壁面Ｂに近づく方向の揺れは重り板１の上端部が壁面Ｂに接触することで抑制される。【選択図】図１
2007130168.tif 000002
【特許請求の範囲】
【請求項１】
家具類の背面と壁面の間及びその上方に配置するための重り板と、
前記重り板の上方寄りの中間部の前面にほぼ直角まで下方から上方に可逆的に回動可能に取付けられ、家具類の上面に配置するための押さえ板とを備えた家具類転倒防止具。
【請求項２】
家具類の背面と壁面の間及びその上方に配置するための重り板と、
前記重り板の上方寄りの中間部の前面にほぼ直角に設けられ、家具類の上面に配置するための押さえ板とを備えた家具類転倒防止具。
【発明の詳細な説明】
【技術分野】
【０００１】
本発明は地震などによる家具類の転倒を防ぐための防止具に関する。
【背景技術】
【０００２】
日本は地震多発国であり、特に室内での家具、本棚、キャビネットなど（以下これらを総称して家具類と記す）が地震時に転倒すると人が下敷きになり、大変危険である。
このため、従来種々の家具類転倒防止具が開発されているがその代表的タイプの１つは、図１６に示すように、家具類２０と天井面Ｃとの間に長さ調節体３０で高さの調節をして上下の押し当て体３１、３２で天井面Ｃと家具類２０の上面２０ａとを突っ張って家具類２０の上面２０ａを押さえて突っ張り支持するものである。
【０００３】
第２のタイプは、図１７に示すように、壁面Ｂに金具４０の一端をネジ４１などで固定し、金具４０の他端を家具類２０の上面２０ａに係止するものである。
【発明の開示】
【発明が解決しようとする課題】
【０００４】
しかしながら、第１のタイプのように天井面Ｃと家具類２０の上面２０ａ間を長さ調節体３０で突っ張る方式では、頻発する小地震の繰り返しで、長さ調節体３０がずれたり、傾いたり、外れたりして、突っ張り支持が不確実になり小地震の度に点検したり支持し直したりしなければならず、この作業が非常に煩雑であり、実際の地震の際に機能せず、転倒防止に役立たないことが多かった。
【０００５】
また第２のタイプの壁面Ｂや天井面Ｃに金具４０の一端をネジ４１などで固定する方式のものでは、頻発する小地震によってネジ４１がグラグラになって外れたり、抜けたり、ゆるんだりして、固定が不確実となり、小地震の度に固定部を点検したり、固定し直したりしなければならず、この作業が大変煩雑であり、実際の地震の際に固定部が全く機能せず、ほとんど家具類転倒防止に役立たない場合が多かった。
【０００６】
本発明はこのような問題を改め、天井に突っ張らせたり、壁面などにネジ止めなどすることなく、従って、点検などの作業を不要にして、家具類の転倒を防止できるようにした防止具を提供することを目的としている。
【課題を解決するための手段】
【０００７】
前記目的を達成するために本発明の請求項１の家具類転倒防止具は、
家具類の背面と壁面の間及びその上方に配置するための重り板と、
前記重り板の上方寄りの中間部の前面にほぼ直角まで下方から上方に可逆的に回動可能に取付けられ、家具類の上面に配置するための押さえ板とを備えている。
【０００８】
また本発明の請求項２の家具類転倒防止具は、
家具類の背面と壁面の間及びその上方に配置するための重り板と、
前記重り板の上方寄りの中間部の前面にほぼ直角に設けられ、家具類の上面に配置するための押さえ板とを備えている。
【発明の効果】
【０００９】
家具類の上部が壁面Ｂから離れる方向の揺れは重り板の重力で抑制され、壁面Ｂに近づく方向の揺れは重り板の上端部が壁面Ｂに接触することで抑制される。
【発明を実施するための最良の形態】
【００１０】
以下、図面に基づいて本発明の実施の形態を説明する。
図１は、本発明の家具類転倒防止具の一実施形態を示している。
図中、符号１で示すものは、家具類の背面と壁面の間及びその上方に配置するための重り板（おもりいた）である。重り板１は縦長の長方形の板状体で、重量を大にするために金属板で構成してもよく、あるいは、木製あるいはプラスチック製の板材の下端部側に金属製の重りを固定したもの（図示せず）でもよい。
【００１１】
また、この重り板１は、図２に示すように、重量を大きくするために、板状体１ａの下端部の両側に横方向の突出横材２ａ、２ｂを延設した逆Ｔ字状にしてもよく、あるいは、図３に示すように、板状体１ａの下端部に両側に水平状態まで回動可能に回動横材３ａ、３ｂを設けてもよい。この水平状態までで回動をストップさせる方法は、ストッパ４で回動横材３ａ、３ｂの基部側の角部５ａ、５ｂを押さえるようにしてもよいし、あるいは鎖（図示せず）などで回動横材３ａ、３ｂの先端部６ａ、６ｂを板状体１ａの中間部に係止するようにしてもよい。
【００１２】
このように板状体１ａの下端部の両側方向へ突出横材２ａ、２ｂあるいは回動横材３ａ、３ｂを設ければ、重り板１の下方の重量を大にさせて安定性を増す他に、地震による揺れで重り板１の左右への傾きを少なくし安定させる役割りも担っている。
【００１３】
また、突出横材２ａ、２ｂ、回動横材３ａ、３ｂからさらに両側横方向へ突出できる横材（図示せず）をスライド式あるいは図３と同様の回動式に設けてもよい。
【００１４】
図１に示すように、重り板１の上方寄りの中間部の前面に、ほぼ直角まで（即ち、水平状態まで）下方から上方に可逆的に回動可能に押さえ板１０が、例えば蝶番Ｔのような回動器具によって取付けられている。
この押さえ板１０は家具類の上面に配置するためのものであって、木製、プラスチック製あるいは金属製でもよい。
【００１５】
図４に示すように、押さえ板１０の基部１１の端面１１ａが重り板１の前面に当接することによって押さえ板１０がほぼ直角より上側への回動が不可能にされるが、図５に示すように押さえ板１０の基部１１の上面にストッパ１２を突出させるか、あるいはストッパ１２を固定して設けてもよい。
【００１６】
なお、押さえ板１０は回動式でなく固定式でもよく、押さえ板１０が金属の場合、押さえ板１０の基部を溶接によって重り板１の前面に固定してもよく、あるいはネジ止めその他の手段で固定してもよく、あるいは一体的に突設してもよい。
【００１７】
図６から図１２は、地震によって家具類２０が倒れる際の、床面Ａと壁面Ｂとの関係を例示している。
図６に示すように、室内の床面Ａに家具類２０の背面を壁面Ｂに寄せて置いてある。
【００１８】
本発明の家具類転倒防止具を用いてないと、地震によって図７に示すように家具類２０の上部が壁面Ｂから離れる方向に揺動して、家具類２０の背面下角部Ｒ１が壁面Ｂに衝突すると、壁面Ｂによる反力で家具類２０の前面下角部Ｆ１は床面Ａを壁面Ｂから離れる方向に移動させられ、図８のように家具類２０は図６の状態より壁面Ｂから離れる。
【００１９】
図８の状態から家具類２０の上部が壁面Ｂに近づく方向に揺動して図９のように家具類２０の背面上角部Ｒ２が壁面Ｂに衝突すると、壁面Ｂによる反力で、家具類２０の背面下角部Ｒ１は床面Ａを壁面Ｂから離れる方向に移動させられ、図１０のように図８の状態より壁面Ｂから離れる。
【００２０】
このように下角部Ｒ１、上角部Ｒ２が壁面Ｂに衝突を繰り返すうちに家具類２０は壁面からの距離が大になり、ついに、図１１に示すように家具類２０は大きく傾き、図１２のように横倒れになる。
【００２１】
本発明の家具類転倒防止具は、図１３に示すように、重り板１の押さえ板１０より下側部分を家具類２０の背面と壁面Ｂの間に挿入し、押さえ板１０を家具類２０の上面に乗せた状態にし、重り板１の押さえ板１０より上側部分を家具類２０の背面の壁面Ｂの上方に位置させる。
【００２２】
地震によって家具類２０が図７のように家具類２０の上部が壁面Ｂから離れる方向に傾こうとする際、図１４に示すように、重り板１の下部の重量によって家具類２０の前面下角部Ｆ１を支点として時計回りのモーメントＭが強く働く。このため、図７のような大きな傾きが抑制され、背面下角部Ｒ１の壁面Ｂへの衝突力が抑制されて、家具類２０が壁面Ｂから離れる距離が小さく抑制される。
【００２３】
また、図９のように家具類２０の上部が壁面Ｂ側に揺れた際には、図１５に示すように、家具類２０の傾きに一致して重り板１も傾き、重り板１の上端部１ｂが壁面Ｂに当接するが、家具類２０の上面２０ａには押さえ板１０が当接していて、家具類２０の背面上角部Ｒ２で連続する上面２０ａ及び背面２０ｂが、９０°以上の回動不能な押さえ板１０と重り板１の押さえ板１０の下方部分とによって、しつかりと押さえつけられた状態になって、家具類２０と押さえ板１０と重り板１とが一体的な状態になっている。
【００２４】
このため、重り板１の上端部１ｂによって家具類２０は壁面Ｂで支えられて、家具類２０の上部の壁面Ｂ側への傾きは、図９の状態（図１５に鎖線で示す）に比べてはるかに小さくさせられる。
このため、家具類２０の背面下角部Ｒ１が壁面Ｂから離れる方向に床面Ａを移動する距離も小さく抑制される。
【００２５】
このように、地震の際の家具類２０の揺れ量及び床面Ａ上の移動量が抑制されるから、地震による家具類２０の転倒を防ぐことができる。
そして、本発明の家具類転倒防止具は壁面や天井面へ固定するものではないから使用が極めて簡単であり、壁面や天井面を傷つけず、頻発する地震によって固定部分がダメになることもなく、地震の頻発による影響と無縁になる。
【図面の簡単な説明】
【００２６】
【図１】図１は本発明の家具類転倒防止具の一実施形態を示す斜視図
【図２】本発明の他の実施形態を示す背面図
【図３】さらに本発明の他の実施形態を示す背面図
【図４】本発明の要部の側面図
【図５】本発明の他の実施形態の要部を示す側面図
【図６】地震の際の家具類の動きを示す図
【図７】地震の際の家具類の動きを示す図
【図８】地震の際の家具類の動きを示す図
【図９】地震の際の家具類の動きを示す図
【図１０】地震の際の家具類の動きを示す図
【図１１】地震の際の家具類の動きを示す図
【図１２】地震の際の家具類の動きを示す図
【図１３】本発明の家具類転倒防止具を用いた場合の地震の際の家具類の動きを示す図
【図１４】本発明の家具類転倒防止具を用いた場合の地震の際の家具類の動きを示す図
【図１５】本発明の家具類転倒防止具を用いた場合の地震の際の家具類の動きを示す図
【図１６】従来の家具類転倒防止具を用いた場合を示す図
【図１７】従来の家具類転倒防止具を用いた場合を示す図
【符号の説明】
【００２７】
１…重り板、１ａ…板状体、２ａ、２ｂ…突出横材、３ａ、３ｂ…回動横材、１０…押さえ板、２０…家具類
【図１】
2007130168.tif 000003
【図２】
2007130168.tif 000004
【図３】
2007130168.tif 000005
【図４】
2007130168.tif 000006
【図５】
2007130168.tif 000007
【図６】
2007130168.tif 000008
【図７】
2007130168.tif 000009
【図８】
2007130168.tif 000010
【図９】
2007130168.tif 000011
【図１０】
2007130168.tif 000012
【図１１】
2007130168.tif 000013
【図１２】
2007130168.tif 000014
【図１３】
2007130168.tif 000015
【図１４】
2007130168.tif 000016
【図１５】
2007130168.tif 000017
【図１６】
2007130168.tif 000018
【図１７】
2007130168.tif 000019